(57)【要約】【課題】簡単な構造で、効果的な防滴を行うことができる電子部品の防滴構造を提供すること。【解決手段】板状の基部２０Ａの一方の面側に第１収納部２５を形成してなるケース２０と、ケース２０の第１収納部２５に収納される回路基板１６０と、回路基板１６０上に設置され、回路基板１６０上に取り付けた発光素子１６９から発射された光を導入して所望の位置に設けた光出射面１９５，１９７から出射させる導光体１９０と、回路基板１６０と導光体１９０を収納した第１収納部２５を覆う第１カバー２２０と、を具備する回転式電子部品１である。導光体１９０に、ケース２０と第１カバー２２０の間に形成される開口部Ｋの内周縁よりも外方に延出して開口部Ｋに浸入しようとする液体（蒸気等）を外方に誘導して第１収納部２５内への浸入を防止する防滴用張り出し部２０１を設ける。【選択図】図６
2018107127.tif 000002
【特許請求の範囲】
【請求項１】
板状の基部の一方の面側に収納部を形成してなるケースと、
前記ケースの収納部に収納される回路基板と、
前記回路基板上に設置され、前記回路基板に取り付けた発光素子から発射された光を導入して所望の位置に設けた光出射面から出射させる導光体と、
前記回路基板と導光体を収納した収納部を覆うカバーと、
を具備する電子部品であって、
前記導光体に、前記ケースとカバーの間に形成される開口部の内周縁よりも外方に延出して前記開口部に浸入しようとする液体を外方に誘導する防滴用張り出し部を設けたことを特徴とする電子部品の防滴構造。
【請求項２】
請求項１に記載の電子部品の防滴構造であって、
前記導光体の前記カバー側を向く背面に、この背面を伝ってくる液体を排水方向にガイドする排水ガイド突起を設けたことを特徴とする電子部品の防滴構造。
【請求項３】
請求項２に記載の電子部品の防滴構造であって、
前記排水ガイド突起は、前記導光体の背面を伝う液体を、前記回路基板に電気的に接続されるコネクタの設置位置から離れる方向に導く形状に形成されていることを特徴とする電子部品の防滴構造。
【請求項４】
請求項１又は２又は３に記載の電子部品の防滴構造であって、
前記導光体は、前記回路基板を覆うと共に、その外周先端面が前記ケースの基部の面に当接していることを特徴とする電子部品の防滴構造。
【請求項５】
請求項４に記載の電子部品の防滴構造であって、
前記導光体は、前記回路基板全体を収納して覆う基板収納部を有し、この基板収納部の内周面の根元には、段状に突出して前記基板の外周部分を当接する基板当接面を形成したことを特徴とする電子部品の防滴構造。
【発明の詳細な説明】
【技術分野】
【０００１】
本発明は、ケース内に回路基板と導光体とを収納してカバーで覆った電子部品を防滴するのに用いて好適な電子部品の防滴構造に関するものである。
【背景技術】
【０００２】
従来、回転式電子部品の中には、例えば特許文献１に示す回転式電子部品（１）のように、回転つまみ（１００）と回路基板（１５０）を第１，第２ケース（１０，５０）内に収納し、回転つまみ（１００）の外周部分の一部を第１，第２ケース（１０，５０）に設けた開口から外部に露出し、回転つまみ（１００）の前記開口から露出した部分を指等で回転操作することで摺動子（１３０）を駆動し、この摺動子（１３０）が摺接する回路基板（１５０）上の摺接パターン（１５３）の検出出力を変化させる構造のものがある。
【０００３】
また上記回転式電子部品（１）においては、回路基板（１５０）の前記摺接パターン（１５３）を形成した反対側の面上に発光素子（１５５ａ）を設置し、その上に導光体（２００）を取り付け、前記発光素子（１５５ａ）から発射された光を、導光体（２００）内に導入して回転つまみ（１００）の裏面側等の所望の位置に導いて、回転つまみ（１００）等を照明する構成とされている。
【０００４】
また上記回転式電子部品（１）においては、導光体（２００）によって回路基板（１５０）の発光素子（１５５ａ）等を設置した側の面を覆う構造とすることで、前記第１，第２ケース（１０，５０）に設けた開口から浸入した液体の前記発光素子（１５５ａ）等への付着を防止している。
【先行技術文献】
【特許文献】
【０００５】
【特許文献１】特開２０１５−１０６５１４号公報
【発明の概要】
【発明が解決しようとする課題】
【０００６】
しかし、例えばこの回転式電子部品（１）を、自動車の車内に設置し、この車内をスチーム洗浄したような場合は、その蒸気が前記第１，第２ケース（１０，５０）に設けた開口から浸入し、浸入した蒸気が、さらに前記回路基板（１５０）とこれを覆っている導光体（２００）の当接面の間の僅かな隙間を通過してその内側に入り込み、内部で結露して水滴になり、発光素子（１５５ａ）等の電子部品に不具合を生じさせる虞があった。
【０００７】
本発明は上述の点に鑑みてなされたものでありその目的は、簡単な構造で、効果的な防滴を行うことができる電子部品の防滴構造を提供することにある。
【課題を解決するための手段】
【０００８】
本発明は、板状の基部の一方の面側に収納部を形成してなるケースと、前記ケースの収納部に収納される回路基板と、前記回路基板上に設置され、前記回路基板に取り付けた発光素子から発射された光を導入して所望の位置に設けた光出射面から出射させる導光体と、前記回路基板と導光体を収納した収納部を覆うカバーと、を具備する電子部品であって、前記導光体に、前記ケースとカバーの間に形成される開口部の内周縁よりも外方に延出して前記開口部に浸入しようとする液体を外方に誘導する防滴用張り出し部を設けたことを特徴としている。
これによって、ケースとカバーの間に形成される開口部からその内部（収納部）に浸入しようとする液体や蒸気を、前記開口部の内周縁から張り出す防滴用張り出し部によって前記開口部の外方に誘導できて収納部への浸入を抑制できる。防滴用張り出し部は導光体の一部として形成されるので、部品点数が増加することはなく、構造も簡単である。
なお、さらに、前記ケースの基部の収納部を設けた反対面側に第２収納部を設け、この第２収納部に回転つまみを収納すると共に、前記ケースの基部に設けた挿通部を介して前記回路基板と回転つまみの間に検出手段を設置し、前記回転つまみを回動することでこの検出手段の出力信号を変化させるようにして回転式電子部品を構成しても良い。
【０００９】
また本発明は、前記導光体の前記カバー側を向く背面に、この背面を伝ってくる液体を排水方向にガイドする排水ガイド突起を設けたことを特徴としている。
即ち、防滴用張り出し部によっても防止しきれずに、収納部内に浸入した液体や蒸気の内、導光体の背面側に浸入した液体や蒸気を、所望の排水方向に導くことができ、さらに効果的な防滴を図ることができる。
【００１０】
また本発明は、前記排水ガイド突起が、前記導光体の背面を伝う液体を、前記回路基板に電気的に接続されるコネクタの設置位置から離れる方向に導く形状に形成されていることを特徴としている。
これによって、回路基板に接続したコネクタへの液体の付着も、効果的に防止することができる。
【００１１】
また本発明は、前記導光体が、前記回路基板を覆うと共に、その外周先端面が前記ケースの基部の面に当接していることを特徴としている。
ケースの基部と導光体の外周先端面とを当接することで、回路基板の周囲を覆うので、この点からも回路基板の防滴を効果的に行うことができる。
【００１２】
また本発明は、前記導光体が、前記回路基板全体を収納して覆う基板収納部を有し、この基板収納部の内周面の根元に、段状に突出して前記基板の外周部分を当接する基板当接面を形成したことを特徴としている。
導光体の外周先端面をケースの基部に当接することで回路基板を防滴すると共に、導光体の基板当接面に回路基板の外周部分を当接することで回路基板の位置決めと固定を確実に行うことができる。
【発明の効果】
【００１３】
本発明によれば、簡単な構造で、効果的な防滴を行うことができる。
【図面の簡単な説明】
【００１４】
【図１】回転式電子部品１の斜視図である。
【図２】回転式電子部品１を別の角度から見た斜視図である。
【図３】回転式電子部品１の概略断面図（図１のＡ−Ａ概略断面図）である。
【図４】回転式電子部品１から第３カバー３００と防滴部材２５０と第１カバー２２０と第２カバー７０を分解して示す分解斜視図である。
【図５】図４を別の角度から見た分解斜視図である。
【図６】第３カバー３００とパッキン２５０と第１カバー２２０と第２カバー７０を除く回転式電子部品１の他の部品の分解斜視図である。
【図７】図６を別の角度から見た分解斜視図である。
【図８】導光体１９０の斜視図である。
【図９】導光体１９０の斜視図である。
【図１０】回転式電子部品１から第３カバー３００と第１カバー２２０と導光体１９０と回路基板１６０と端子ユニット１４０とを除いた残りの部分を示す斜視図である。
【図１１】回転式電子部品１から第３カバー３００を取り外した状態を示す分解斜視図である。
【発明を実施するための形態】
【００１５】
以下、本発明の１実施形態に係る防滴構造を用いて構成した回転式電子部品１を、図面を参照して詳細に説明する。図１は回転式電子部品１の斜視図、図２は回転式電子部品１を別の角度から見た斜視図、図３は回転式電子部品１の概略断面図（図１のＡ−Ａ概略断面図）、図４は回転式電子部品１から第３カバー３００と防滴部材（以下「パッキン」という）２５０と第１カバー２２０と第２カバー７０を分解して示す分解斜視図、図５は図４を別の角度から見た分解斜視図、図６は第３カバー３００とパッキン２５０と第１カバー２２０と第２カバー７０を除く回転式電子部品１の他の部品の分解斜視図、図７は図６を別の角度から見た分解斜視図である。なお、回転つまみ１００の操作部１０１を露出する面側を前面、その反対側を後面といい、また図１に表示している第３カバー３００の上を向いている面側を「上」、その反対側を「下」といい、また前後方向と上下方向の両方向に直交する水平方向を左右方向ということとする。
【００１６】
これらの図に示すように、回転式電子部品１は、ケース２０と、第２カバー７０と、一対の摺動子１３０を取り付けた回転つまみ１００と、端子ユニット１４０と、回路基板１６０と、導光体１９０と、第１カバー２２０と、パッキン２５０と、第３カバー３００とを具備して構成されている。
【００１７】
ケース２０は非透明材料からなる合成樹脂の一体成形品であり、例えば図６，図７に示すように、略平板状の基部２０Ａの上下の辺に、左右方向に延びる側壁部２０Ｂ、２０Ｃを設けることで、基部２０Ａの一方の面側に第１収納部２５を形成し、他方の面側に第２収納部２３を形成している。基部２０Ａの前方には側壁部２０Ｂ、２０Ｃが形成されていない。また、基部２０Ａの後方には、略箱型に突出するコネクタ部（コネクタ）２０Ｄが形成されている。そして、基部２０Ａには、第２収納部２３側に向かって突出する略円筒状の軸受部２１が設けられている。軸受部２１の中央は、基部２０Ａを貫通する挿通部２２となっている。また、側壁部２０Ｂ，２０Ｃの第２収納部２３側の部分には、下記する第２カバー７０の爪部７９を係止する矩形状の貫通孔からなる一対の被係止部２７が設けられている。また側壁部２０Ｂ，２０Ｃの第１収納部２５側の部分には、下記する第１カバー２２０の爪部２２３を係止する矩形状の貫通孔からなる一対の被係止部２９が形成されている。また側壁部２０Ｂ，２０Ｃの外面の前記両被係止部２７，２９の間の位置には、下記する第３カバー３００の被係止部３０９を係止する爪状の一対の係止部３０が形成されている。基部２０Ａの第１収納部２５側の面の外周近傍部分を囲む部分は、下記する導光体１９０の外周先端面１９４を当接する当接面となっている。
【００１８】
一方、コネクタ部２０Ｄは、矩形箱型に突出するコネクタ本体部４３を有し、このコネクタ本体部４３の後方の面を開放することで、凹状の外部コネクタ挿入部４５を形成している。またコネクタ部２０Ｄは、第１収納部２５側に向かって開口する略Ｌ字状で凹状の端子ユニット収納部３１も有している。外部コネクタ挿入部４５と端子ユニット収納部３１は連通している。そして端子ユニット収納部３１に下記する端子ユニット１４０を挿入することで、端子ユニット１４０の後方側を向く端子１４１の部分が前記外部コネクタ挿入部４５内に収納され、コネクタ部２０Ｄが形成される。このコネクタ部２０Ｄには、外部コネクタ挿入部４５にその後方から外部コネクタが挿入され、外部コネクタに設けたメス側の各端子が前記各端子１４１に接続される。
【００１９】
また前記軸受部２１の円弧状外周面の一部分と、その左右両側壁部２０Ｂ、２０Ｃの第２収納部２３側の前方の辺は、パッキン搭載面３３（３３ａ〜３３ｃ）となっている。また基部２０Ａの第１収納部２５側の面の中央付近（下記する回路基板１６０の各ガイド部１７３に対向する位置）には、一対の棒状に突出する基板ガイド部３５が形成されている。また側壁部２０Ｂ、２０Ｃの第１収納部２５側に突出している部分の前方近傍部分の外面側には、左右方向に向かって伸びる平板状の突出部３７とその後方の凹部３９とが形成されている。さらに凹部３９の後方の側壁部２０Ｂ、２０Ｃの先端面には、小穴からなる挿入部４１が形成されている。また図示はしていないが、第２収納部２３内の軸受部２１を設けた根元部分の面（下記するクリック用ボール１２７に対向する位置）には、円弧状方向（クリック用ボール１２７の移動する円弧方向）に向かって凹凸するクリック係合部が形成されている。
【００２０】
第２カバー７０は、非透明材料からなる合成樹脂を一体成形して構成されており、略平板矩形状のケース本体部７１と、ケース本体部７１から回転つまみ１００側に向けて突出する円板状のつまみ支持部７３とを具備して構成されている。つまみ支持部７３の外周にはケース側に向けて突出する円筒状の外側壁７４が設けられ、その内側には同心円状に突出する有底円筒状の突出部７５が設けられている。ケース本体部７１の上下両側辺からは、回転つまみ１００側に向けて一対の係止爪７７が突出している。係止爪７７は平板状であり、その先端近傍の両外側位置に爪部７９を設けている。またケース本体部７１の外周の一部は、下記するパッキン２５０を当接するパッキン搭載面８１となっている。
【００２１】
回転つまみ１００は合成樹脂の成形品であり、透明材料と非透明材料からなる二色成形品である。回転つまみ１００は略円板形状であり、その外周面が操作部１０１となっている。回転つまみ１００の第２カバー７０側を向く面には、円形の凹部１０３が設けられ、凹部１０３内には、２つの筒状の突出部１０５，１０７が同心円状に突設されている。両突出部１０５，１０７の間の円形の凹部は、前記第２カバー７０の突出部７５を挿入する挿入部１０９となっている。また突出部１０７中央の凹部の底面は、略円錐凹状の光反射面１１０（図３参照）となっている。回転つまみ１００のケース２０側を向く面の中央からは、略円柱形状の軸部１１１が突出している。軸部１１１の上面には、一対の摺動子１３０が取り付けられており、さらにその中央位置からは円錐台形状の導光用突起１１５が突出している。導光用突起１１５の先端面は光入射面１１７になっている。両摺動子１３０は同一形状であり、基部１３１から円弧状のアーム部１３３を突出して基部１３１上に折り返し、アーム部１３３の中央位置に接点部１３５を形成して構成されている。軸部１１１の周囲には、リング状の防滴用凹部１２３が形成されている。また回転つまみ１００のケース２０側を向く面の外周部分には、有底円形の穴からなるクリック機構収納部１２４が形成されている。クリック機構収納部１２４には、コイルバネ１２５とクリック用ボール１２７とが収納される。
【００２２】
また上述のように、回転つまみ１００は、２種類の樹脂Ａ１，Ａ２（図３参照）を一体成形することによって構成されている。一方の樹脂Ａ１は透明な樹脂であり、もう一方の樹脂Ａ２は不透明な樹脂である。透明な樹脂Ａ１は、その全体がつまみ用導光部Ａ１を構成し、この回転つまみ１００の軸部１１１と操作部１０１の間を光学的につないでおり、操作部１０１の外周面と、導光用突起１１５の光入射面１１７間を光学的に結ぶように成形されている。光入射面１１７は円形の平面状に形成されている。つまみ用導光部Ａ１は、略円板状の導光本体部Ａ１１と、導光本体部Ａ１１の中心から軸部１１１側に垂直に突出して軸部１１１の中心部分を構成する導光軸部Ａ１３とを具備している。導光本体部Ａ１１の導光軸部Ａ１３とは反対側の面の中央に、前記光反射面１１０が形成されている。また前記両突出部１０５，１０７も導光本体部Ａ１１の一部を構成している。一方、樹脂Ａ２は、導光本体部Ａ１１の光反射面１１０側の面の操作部１０１の裏面側の部分と、導光本体部Ａ１１の軸部１１１側の面略全体の部分とに形成されており、軸部１１１の導光軸部Ａ１３を除く部分と、防滴用凹部１２３とを構成している。
【００２３】
端子ユニット１４０は、６本の金属板製の端子１４１を、略矩形状の成形樹脂製の第１端子保持部材１４３と、略四角棒状の第２端子保持部材１４４内にインサート成形して構成されている。各端子１４１はその途中の２か所でほぼ直角に屈曲することで、その一端は後方に向かって１列に６本突出し、他端は一側面側を向いて１列に６本突出している。
【００２４】
回路基板１６０は、硬質で略矩形状の板からなる絶縁基板１６１の所定位置に、円形の貫通する挿通部１６３を設け、この挿通部１６３の周囲の回転つまみ１００を向く面側に、前記摺動子１３０の接点部１３５を摺接させる摺接パターン１６５を形成し、また絶縁基板１６１の後方の外周辺近傍に一列に前記端子１４１の一端を挿入する６つの小孔からなる端子挿入孔１６７を形成し、また絶縁基板１６１の前記摺接パターン１６５を設けた反対の面側の所定位置に発光素子１６９と他の各種電子部品１７１とを取り付け、さらに前記ケース２０の各基板ガイド部３５に対向する位置にこれらを挿入する小孔からなるガイド部１７３を形成して構成されている。絶縁基板１６１上には、図示しない回路パターンが形成されており、前記摺接パターン１６５や発光素子１６９や各種電子部品１７１や前記端子挿入孔１６７に取り付けられる端子１４１間を電気的に接続する。摺接パターン１６５としては、スイッチパターンや抵抗体パターン等の種々のパターンが適用できる。
【００２５】
導光体１９０は、透明な合成樹脂を、回路基板１６０側の面が解放された略矩形箱型に一体成形して構成されている。図８，図９は、それぞれ導光体１９０を拡大して別の角度から見た斜視図である。これらの図に示すように、導光体１９０の回路基板１６０側を向く面は凹状の基板収納部１９１となっており、その底面の所定位置から円柱状の光導出部１９３が突出している。基板収納部１９１は、前記回路基板１６０全体を収納して覆う形状に形成されていて、その外周側壁の内周面の根元にはこれを囲むように、段状の基板当接面１９２が形成されている。また導光体１９０の外周側壁の先端面は、その全体が同一平面とされた外周先端面１９４となっている。光導出部１９３は前記回路基板１６０の挿通部１６３に挿入できる寸法に形成されており、その先端面は光出射面１９５となっている。光出射面１９５は円形の平面状に形成されており、前記回転つまみ１００の光入射面１１７と同一の外径寸法に形成されている。また導光体１９０の第３カバー３００側の外周面（前面）も光出射面１９７となっている。また、導光体１９０の第１カバー２２０側の面（背面）には、光出射面１９５，１９７方向に光を反射させる光反射面１９９と、この導光体１９０の背面上を伝って、コネクタ部２０Ｄ側に液体や蒸気が浸入するのを防止する排水ガイド突起２０５が形成されている。光反射面１９９は、導光体１９０の背面のほぼ中央（前記回路基板１６０に取り付けた発光素子１６９に対向する位置）に形成される複数の傾斜面（水平面も含む）によって形成されており、発光素子１６９から発射されて導光体１９０内に導入された光を、光出射面１９５と光出射面１９７に向けて反射する形状に形成されている。
【００２６】
排水ガイド突起２０５は、長尺な線状の突起であり、導光体１９０の背面の後方の一方の角部付近に形成され、この角部の両側の辺にわたって、この角部を他の部分から仕切るように（分離するように）、形成されている。また前記ケース２０の両側壁部２０Ｂ、２０Ｃに対向する導光体１９０の左右両外周面（側面）であって、前記光出射面１９７に近い側の部分からは、一対の防滴用張り出し部２０１が腕状に突出している。防滴用張り出し部２０１は、矩形状の平板であって、導光体１９０の左右両外側面からほぼ垂直外方に向けて突出している。防滴用張り出し部２０１は導光体１９０に接続されるその一辺が、導光体１９０の外側面の幅（厚み）と同一幅を有していてその幅方向を向いており、従って前記導光体１９０の外側面の上下まで至っている。また導光体１９０の基板収納部１９１の底面の、前記ケース２０の各基板ガイド部３５に対向する位置には、これらを挿入する有底の小穴からなるガイド部挿入部２０３が形成されている。
【００２７】
第１カバー２２０は、非透明な合成樹脂を略平板矩形状に成形して構成されており、前記ケース２０の第１収納部２５を略覆う外形形状に形成されている。第１カバー２２０の上下両側辺からは、ケース２０側に向けて一対の係止爪２２１を突出している。係止爪２２１は平板状であり、その先端近傍の両外側位置に爪部２２３を設けている。また第１カバー２２０の前面側の辺（前端辺）は、略Ｖ字状に形成され、その両端部分には直線部分が形成されている。この第１カバー２２０の前端辺は、ケース２０側に向けて適宜突出しているが、その突出形状は、第１収納部２５内に収納される導光体１９０の上面の形状に合わせてこれらに当接する形状に形成されている。また第１カバー２２０の前面側付近のケース２０側を向く面には、前記ケース２０の凹部３９に挿入される形状のガイド突起２２５と、前記ケース２０の挿入部４１に挿入される形状のガイド突起２２７が形成されている。
【００２８】
パッキン２５０は、エラストマー等の弾性体を、横断面円形で略矩形のリング状に形成し、３辺を直線状に、もう１つの辺を円弧状に湾曲した形状として構成されている。
【００２９】
第３カバー３００は、合成樹脂の成形品であり、ケース２０側が解放された略矩形箱型に成形して構成されており、これによって収納部３０１を形成している。第３カバー３００の前面（以下「化粧面」という）３０３の前記回転つまみ１００に対向する位置には、回転つまみ１００の操作部１０１の一部を露出する開口３０５が形成され、また前記導光体１９０の光出射面１９７に対向する位置には、照光部３０７が形成されている。照光部３０７は、第３カバー３００を構成する透明な成形樹脂の表面に塗布した不透光性の塗装を、所望の文字や記号等の形状にレーザー等によって切り欠くことで形成されているが、他の種々の方法によって形成しても良い。第３カバー３００の対向する上下両側面の所定位置には、それぞれ前記ケース２０の係止部３０に係止される矩形状の貫通孔からなる被係止部３０９が形成されている。
【００３０】
次に、回転式電子部品１を組み立てるには、まず予め、回転つまみ１００の防滴用凹部１２３内に、防滴用のグリスＧ（図３参照）を充填し、且つこの回転つまみ１００に一対の摺動子１３０を取り付けておく。一方、端子ユニット１４０の側方に向かって突出する各端子１４１の先端を、回路基板１６０の各端子挿入孔１６７に挿入し、その反対側において回路基板１６０上の回路パターンに半田によって固定しておく。
【００３１】
そして、ケース２０の第２収納部２３内に、前記摺動子１３０を取り付け且つコイルバネ１２５とクリック用ボール１２７をクリック機構収納部１２４に収納した回転つまみ１００を収納し、その際、回転つまみ１００の軸部１１１を、ケース２０の軸受部２１内に回動自在に挿入し、軸支する。このとき、回転つまみ１００のグリスＧを充填した防滴用凹部１２３内に、ケース２０の軸受部２１が挿入されることで、防滴処理部が形成される。次に、前記回転つまみ１００の側面を覆うように、第２カバー７０を取り付け、係止爪７７の爪部７９をケース２０の被係止部２７に係止し、これによって回転つまみ１００を挟んだ状態で第２カバー７０をケース２０に取り付ける。このとき、第２カバー７０のつまみ支持部７３が回転つまみ１００の側面を覆い、その突出部７５が回転つまみ１００の挿入部１０９に挿入される。このときの状態を、図１０に示す。但し図１０ではさらにパッキン２５０を装着した状態を示しているが、この実施形態では下記するようにパッキン２５０は第３カバー３００側に装着する（この段階で装着しても良い）。図１０からも明らかなように、摺動子１３０は、ケース２０の挿通部２２内から、基部２０Ａの第１収納部２５側に露出する。
【００３２】
次に、前記端子ユニット１４０を取り付けた回路基板１６０と導光体１９０とを、ケース２０の第１収納部２５内に収納し、さらにその上から第１カバー２２０を被せる。そして第１カバー２２０の各爪部２２３を、ケース２０の各被係止部２９に係止する。このときケース２０の一対の基板ガイド部３５が、回路基板１６０の各ガイド部１７３を貫通して更に導光体１９０の各ガイド部挿入部２０３に挿入され、これら各部材が位置決めされる。またこのとき、第１カバー２２０のガイド突起２２５がケース２０の凹部３９に挿入され、第１カバー２２０のガイド突起２２７がケース２０の挿入部４１に挿入される。このときの状態を、図１１に示す（但し、このときは図１１に示すパッキン２５０は装着されていない）。このとき、回路基板１６０を収納した導光体１９０は、その外周の外周先端面１９４がケース２０の基部２０Ａに当接することで、回路基板１６０を囲む空間は防滴され、回路基板１６０への液体の浸入が防止される。またこのとき、導光体１９０の光出射面１９７側の部分は、ケース２０の基部２０Ａと第１カバー２２０の間に形成される開口部Ｋ（図１０に示す第１収納部２５の開口部Ｋ、但し図１０では第１カバー２２０を被せていないが、第１カバー２２０を被せて開口部Ｋが形成される）に露出し、さらに導光体１９０の前記一対の防滴用張り出し部２０１は、前記開口部Ｋの内周縁よりも外方に向けて延出している。
【００３３】
またこのとき、回路基板１６０の摺接パターン１６５には、摺動子１３０の接点部１３５が当接する。また、端子ユニット１４０は、端子ユニット収納部３１内に収納される。またこのとき、導光体１９０は回路基板１６０を覆っていて且つ回路基板１６０の発光素子１６９を設置した側の面の外周部分は導光体１９０の基板当接面１９２に当接している。また導光体１９０の光導出部１９３は、回路基板１６０の挿通部１６３に挿入され、その先端の光出射面１９５は回転つまみ１００の光入射面１１７に接近して対向している。
【００３４】
次に、パッキン２５０を、第３カバー３００のケース本体収納部３０１内に挿入して、第３カバー３００の開口３０５の裏側を囲む位置に設けたパッキン搭載面３１１（図３参照）に当接・設置する（図１１ではパッキン２５０をケース２０側に取り付けた状態を示しているが、この例の場合は第３カバー３００側にまず装着する）。そして、このパッキン２５０を取り付けた第３カバー３００を、前記ケース２０の回転つまみ１００を露出する側の部分に、その上から被せるように取り付ける。その際、各係止部３０を、第３カバー３００の各被係止部３０９に係止し、これによって図１、図２に示す回転式電子部品１の組み立てが完了する。なお上記組立手順はその一例であり、他の各種異なる組立手順を用いて組み立てても良いことはいうまでもない。
【００３５】
このとき、図１，図２に示すように、回転つまみ１００の操作部１０１の一部は、開口３０５から露出する。また第３カバー３００の照光部３０７の裏面に対向する位置に、導光体１９０の光出射面１９７が配置される。またこのとき、パッキン２５０は、第３カバー３００のパッキン搭載面３１１と、前記ケース２０及び第２カバー７０のパッキン搭載面３３（３３ａ〜３３ｃ），８１との間で挟持され、密閉される。
【００３６】
以上のようにして組み立てられた回転式電子部品１において、回転つまみ１００を回転すると、摺動子１３０の接点部１３５が回路基板１６０の摺接パターン１６５上を摺動し、これによって各端子１４１間の検出出力が変化する。
【００３７】
一方、発光素子１６９を発光すれば、その光は図３に一点鎖線で示すように、導光体１９０内に導入される。導光体１９０内に導入された光の一部は、光反射面１９９で反射されることで前記光出射面１９７に向かい、その面から放出され、前記第３カバー３００の照光部３０７をその裏面側から明るく照らし出す。一方、発光素子１６９から導光体１９０内に導入された光の一部は、光反射面１９９で反射されることで、前記光出射面１９５に向かい、その面から放出され、回転つまみ１００の光入射面１１７からつまみ用導光部Ａ１内に導入される。つまみ用導光部Ａ１内に導入された光は、導光軸部Ａ１３内を進み、光反射面１１０等で反射されることで、導光本体部Ａ１１内を進み、操作部１０１の外周面に導かれ、操作部１０１を明るく照らし出す。
【００３８】
一方、この回転式電子部品１は、図示しない電子機器の操作パネルに装着され、その際、第３カバー３００の化粧面３０３が、操作パネルの外部に露出する。そしてこの操作パネルの外部に露出した化粧面３０３に液体や蒸気がかかることがある。かかった液体は、第３カバー３００の開口３０５からその内部に浸入するが、浸入した液体は、パッキン２５０によって、その内側への浸入が阻止される。しかし、かかった液体（特に蒸気、以下「蒸気等」という）の一部は、パッキン２５０による防水を通過して、基部２０Ａと第１カバー２２０の間の前方側に形成された開口部Ｋから第１収納部２５内に入り込むことがある。第１収納部２５内に蒸気等が入り込むと、入り込んだ蒸気等がさらに回路基板１６０の発光素子１６９等を設置した面（電子部品搭載面）側に入り込んで結露したり、その後方にある端子１４１に付着し結露して電気的な不具合を生じる虞がある。前記開口部Ｋから第１収納部２５内に入り込んだ蒸気等が回路基板１６０の電子部品搭載面や端子１４１に入り込む理由には以下のようなものがある。即ち、導光体１９０の外周先端面１９４は基部２０Ａの面に当接しているので、基本的には回路基板１６０の周囲は覆われ、前記開口部Ｋから入り込んだ蒸気等は導光体１９０の背面側に入っても、回路基板１６０の電子部品搭載面側には入ってこないが、前記導光体１９０の外周先端面１９４と基部２０Ａが当接している全周の内の所定部分に微細な隙間が生じていたような場合はその隙間から蒸気等が入り込む虞があり、また基部２０Ａの後方に設けた凹状の端子ユニット収納部３１上を導光体１９０の外周先端面１９４が通過する部分は密閉されていないので、この部分から回路基板１６０側や端子ユニット１４０側に蒸気等が入り込む虞がある。
【００３９】
これに対して本実施形態の場合、例えば図１１に示すように、導光体１９０に、基部２０Ａと第１カバー２２０の間に形成される開口部Ｋの内周縁よりも外方に延出する防滴用張り出し部２０１を設けているので、前記開口部Ｋに浸入しようとする蒸気等の内の一部を外方、即ち図１１に矢印で示すように、開口部Ｋから離れる方向（ケース２０の両側壁部２０Ｂ、２０Ｃと第３カバー３００の間の隙間）に向けて誘導する（引き離す）ことができ、開口部Ｋへの浸入を防止（抑制）することができる。これによって回路基板１６０の電子部品搭載面や、その後方に位置する端子ユニット１４０への蒸気等の付着を抑制できる。しかも防滴用張り出し部２０１は導光体１９０の一部として形成されるので、部品点数が増加することはなく、構造も簡単である。
【００４０】
一方、防滴用張り出し部２０１によっても防止しきれずに、基部２０Ａと第１カバー２２０の間に形成される開口部Ｋから浸入した蒸気等の内、導光体１９０の背面側に浸入した蒸気等は、この背面に形成された排水ガイド突起２０５によって、所望の排水方向、即ちこの実施形態の場合はコネクタ部２０Ｄの設置位置から離れる方向にガイドされ、これによって効果的な防滴（端子ユニット収納部３１から浸入する蒸気等による端子１４１への液体の付着防止等）を図ることができる。なお蒸気等は、例えばケース２０の下側の側壁部２０Ｃに設けた被係止部２９の爪部２２３を係止した隙間から排出される。
【００４１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では、防滴用張り出し部を、導光体の左右両側から一対突出させたが、導光体の全周から突出させても良いし、他の一部から突出させても良い。全周から突出させれば、最も効果的に蒸気等の開口部への浸入を抑制できる。また排水ガイド突起を、コネクタの設置位置から離れる方向に導く形状に形成したが、コネクタ以外の所望の部分（例えば他の電気的な機能部）から離れる方向に導く形状に形成しても良い。また本発明は、回転式電子部品以外の各種電子部品に適用してもよい。
【００４２】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００４３】
１  回転式電子部品（電子部品）
２０  ケース
２０Ａ  基部
２０Ｄ  コネクタ部（コネクタ）
２５  第１収納部（収納部）
１６０  回路基板
１６９  発光素子
１９０  導光体
１９４  外周先端面
１９５，１９７  光出射面
２０１  防滴用張り出し部
２０５  排水ガイド突起
２２０  第１カバー（カバー）
Ｋ  開口部
【図１】
2018107127.tif 000003
【図２】
2018107127.tif 000004
【図３】
2018107127.tif 000005
【図４】
2018107127.tif 000006
【図５】
2018107127.tif 000007
【図６】
2018107127.tif 000008
【図７】
2018107127.tif 000009
【図８】
2018107127.tif 000010
【図９】
2018107127.tif 000011
【図１０】
2018107127.tif 000012
【図１１】
2018107127.tif 000013